(57)【要約】【課題】広告媒体の交換が簡単に出来て、広告媒体の交換によるコストの少ない幟【解決手段】広告媒体を、安価で交換するための棒状の特殊なプラスチック製幟であって、広告媒体を、安価で交換する為に棒状の特殊なプラスチック製幟の内側に突設された軟質樹脂により紙材の広告媒体に対しても滑り止めの役割をはたすので、従来使用していた布材ではなく紙材の広告媒体の使用が出来るのでコストを抑えることが出来、上下のキャップと背面からストッパーを装着した時に発生する押圧力を利用し紙材の広告媒体を挟持して用いる。【選択図】図１
0003120645.tif 000002
【実用新案登録請求の範囲】
【請求項１】
軟質背面板に突設した起立片に軟質の挟持片を設けたものを特殊棒とし、該特殊棒にヘッドキャップとアンダーキャップ、そして背面からオーム型ストッパーを装着した紙材の広告媒体等用の幟。
【請求項２】
全体の構成が極めて簡易であるために、容易に且つ安価に製作できると共に、切断等の二次加工も簡易に行えるという実用的な利点を有することを特徴とした請求項２に記載の幟。
【請求項３】
軟質背面版の裏面から広告媒体の挟持を保護しているオーム型ストッパーと特殊棒の先端上部のヘッドキャップと先端下部のアンダーキャップを特殊棒から離脱させると、挟持片と広告媒体との圧接状態を解除されるので、容易に広告媒体が交換出来ることを特徴とした請求項１に記載の幟。
【考案の詳細な説明】
【考案の詳細の説明】
【技術分野】
【０００１】  本考案は、紙材の広告媒体８などを単数枚や複数枚重ねて一体的に挟持することの出来る、シート材の幟の改良に関する。
【背景技術】
【０００２】  布材の広告媒体８の上と横に、多くの乳をつけて竿に通し、立てて標識や告知をするもの。また、紙材の広告媒体８の横に接着テープなどで竿に固定し、立てて標識や告知をすることの出来る幟が存在する。
【考案が解決しようとする課題】
【０００３】  しかしながら、上記従来の幟は比較的簡略化された構造からなる為、見た目も良い物でなく、製作には大変手間とコストもかかっていた。
又、市販の物は交換によるコストが高いという問題点を有していた。
【０００４】  それ故に、本考案は上記従来の問題点を解決するためになされたものであり、製造に関するコストをおさえると共に、容易に作成できる紙材の幟の提供を課題とする。
【課題を解決する為の手段】
【０００５】  上記課題を解決するために、本考案は軟質背面版１の前面側に起立片２が突設され、且つその起立片２には、先端内部が広告媒体８に対して滑り止めの役目を有する挟持片３が設けられている特殊棒４の先端上部にはヘッドキャップ５と先端下部にはアンダーキャップ６とが設けられてなる紙材の広告媒体８の幟である。
【考案の効果】
【０００６】  従って、上記構造を特徴とする特殊棒４により、例えば軟質背面版１の前面両側に起立片２が突設し、且つその起立片２には、先端内部に広告媒体８に対して滑り止めの役目を有する挟持片３を設置した特殊棒４の先端上部にはヘッドキャップ５と先端下部にはアンダーキャップ６をはめ込み、特殊棒４の背面よりオーム型ストッパー７をはめ込む事により、起立片２に押圧力が生じるので、その押圧力を利用し挟持片３の間に広告媒体８を挟み込ませる事により自重や多少の外力が広告媒体８に加わっても該広告媒体８が特殊棒４から離脱するようなことは無くなる。
【実施例】
【０００７】  以下、本考案に係わる幟の実施例について、図面に従って説明する。【０００８】    図において、１は軟質背面板１を示し、その軟質背面板１の前面側に起立片２が突設され且つその起立片２には、先端内部が広告媒体８に対して滑り止めの役目を有する挟持片３が設けられている特殊棒４である。【０００９】  図１において、４は特殊棒４を示し、その特殊棒４の上部には先端上部にはヘッドキャップ５と先端下部にはアンダーキャップ６と背面にはオーム型ストッパー７が設けられてなる紙材の広告媒体８の幟である。【００１０】  本実施例に係る幟は以上のような構成からなり通常は長尺状に製作されるのであるが、実際に使用する際には適宜所望寸法に切断して、時と場合によって使用する場所や使用用途を選ばないので、例えばプライスカードやアピールポップ・商品などの説明等としての手段としても使用できる。【００１１】  起立片２内側に突設された軟質樹脂からなる挟持片３は、挟み込んだ広告媒体８に対して滑り止めの役割をはたすので、広告媒体８の自重や多少の外力が広告媒体８に加わっても不用意に広告媒体８等が幟から離脱する事は無い。【００１２】  一方、広告媒体８等を幟から離脱させる場合には、軟質背面板１の裏面から広告媒体８の挟持を保護しているオーム型ストッパー７と特殊棒４の先端上部のヘッドキャップ５と先端下部のアンダーキャップ６を特殊棒４から離脱させると、挟持片３と広告媒体８との圧接状態を解除されるので、容易に広告媒体８などを取り外すことが出来る。【００１３】  該実施例に係わる特殊棒４は全体の構成が極めて簡易であるために、容易に且つ安価に製作できると共に、切断等の二次加工も簡易に行えるという実用的な利点を有する。【００１４】  上述したように本実施例に係る特殊棒４は所望寸法に切断可能であるために、挟持するべき紙材の広告媒体８等の寸法に応じて切断すれば、比較的長尺の広告媒体８等も良好に挟持することが出来て、サイズの不合によって不用意に広告媒体８等が離脱するような事態を回避出来るのである。【００１５】  その他、起立片２や挟持片３等の形状等も本考案の意図する範囲内において任意に設計変更自在である。
【考案を実施するための最良の形態】
【００１６】  上述の様に、本考案は軟質背面板１に突設した起立片２に軟質の挟持片３を設けたものを特殊棒４とし、該特殊棒４にヘッドキャップ５とアンダーキャップ６、そして背面からオーム型ストッパー７を装着した時に発生する押圧力を利用して紙材の広告媒体８等を挟持するものであるために、今までに存在した幟に比べて、より強い挟持力と安価で製作の簡単な幟を提供する事の出来る効果を得るに至った。
【図面の簡単な説明】
【図１】本考案に係る幟の広告媒体を装着した時の正面図である。
【図２】本考案に係る幟の広告媒体を装着する前の正面図である。
【図３】本考案に係る幟の先端下部側面の断面図である。
【図４】本考案に係る幟の先端上部側面の断面図である。
【図５】本考案に係る幟の広告媒体を装着する前の特殊棒の断面図である。
【図６】本考案に係る幟の広告媒体を装着した時の特殊棒の断面図である。
【符号の説明】
１  背面版
２  起立片
３  挟持片
４  特殊棒
５  ヘッドキャップ
６  アンダーキャップ
７  Ω型ストッパー
８  広告媒体
【図１】
0003120645.tif 000003
【図２】
0003120645.tif 000004
【図３】
0003120645.tif 000005
【図４】
0003120645.tif 000006
【図５】
0003120645.tif 000007
【図６】
0003120645.tif 000008
【手続補正書】
【提出日】平成18年1月13日(2006.1.13)
【手続補正１】
【補正対象書類名】実用新案登録請求の範囲
【補正対象項目名】請求項２
【補正方法】変更
【補正の内容】
【請求項２】
全体の構成が極めて簡易であるために、容易に且つ安価に製作できると共に、切断等の二次加工も簡易に行えるという実用的な利点を有することを特徴とした請求項１に記載の幟。